【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】  ノンパンクチャラブルビットとパンクチャラブルビットを有する畳込み符号を用いてプログラム材料を符号化するステップより成る放送方式であって、
直角周波数分割多重化された複数のキャリア信号（８０）を畳込み符号で変調して、ノンパンクチャラブルビットがキャリア信号の第１の群（３０）により、またパンクチャラブルビットがキャリア信号の第２の群（２８）により搬送されるようにし、
キャリア信号を放送するステップより成り、
第１の群のキャリア信号は第２の群のキャリア信号ほど干渉の影響を受けることが少ないことを特徴とする放送方式。
【請求項２】  キャリア信号（８０）を受信し、
第２の群のキャリア信号が損傷状態にあるか否かを判定し、
損傷状態にあると判定されたキャリア信号の任意のものにより搬送されるパンクチャラブルビットを消去してパンクチャド符号を発生させ、
パンクチャド符号を復号するステップをさらに含む請求項１の方式。
【請求項３】  第２の群のキャリア信号が損傷状態にあるか否かを判定するステップは、
第２の群のキャリア信号が受けた非均等な干渉を評価するステップより成る請求項２の方式。
【請求項４】  キャリア信号（８０）を受信し、
第２の群のキャリア信号が損傷状態にあるか否かを判定し、
第２の群のキャリア信号の各キャリア信号の信号対雑音比に応じてパンクチャラブルビットに重み付けを行い、
畳込み符号を復号するステップをさらに有することを特徴とする請求項１の方式。
【請求項５】  畳込み符号をキャリア信号の間にインターリービングするステップをさらに含む請求項１の方式。
【請求項６】  畳込み符号をキャリア信号の間にインターリービングするステップは、畳込み符号を区分するステップをさらに含むことを特徴とする請求項５の方式。
【請求項７】  ノンパンクチャラブルビットとパンクチャラブルビットを有する畳込み符号を用いてプログラム材料を符号化する手段（５８）と、
直角周波数分割多重化された第２の複数のキャリア信号（８０）を畳込み符号で変調して、ノンパンクチャラブルビットがキャリア信号の第１の群（３０）により、またパンクチャラブルビットがキャリア信号の第２の群（２８）により搬送されるようにする手段（６４）と、
キャリア信号を放送する手段（６８）とより成り、
第２の複数のキャリア信号の第１の群は第２の複数のキャリア信号の第２の群ほど干渉の影響を受けることが少ない無線周波数送信機（４８）。
【請求項８】  ノンパンクチャラブルビットとパンクチャラブルビットを有する畳込み符号と共に直角周波数分割多重化された複数のキャリア信号を受信する手段（７０）であって、ノンパンクチャラブルビットはキャリア信号の第１の群により、またパンクチャラブルビットはキャリア信号の第２の群により搬送され、第１の群のキャリア信号は第２の群のキャリア信号ほど干渉の影響を受けることが少ない受信手段（７０）と、
第２の群のキャリア信号が損傷状態にあるか否かを判定する手段（８６）と、
損傷状態にあると判定されたキャリア信号の任意のものにより搬送されるパンクチャラブルビットを消去してパンクチャド符号を発生させる手段（８６）と、
パンクチャド符号を復号する手段（７４）とよりなる無線周波数受信機（５０）。
【請求項９】  ノンパンクチャラブルビットとパンクチャラブルビットを有する畳込み符号と共に直角周波数分割多重化された複数のキャリア信号を受信する手段（７０）であって、ノンパンクチャラブルビットはキャリア信号の第１の群により、またパンクチャラブルビットはキャリア信号の第２の群により搬送され、第１の群のキャリア信号は第２の群のキャリア信号ほど干渉の影響を受けることが少ない受信手段（７０）と、
第２の群のキャリア信号が損傷状態にあるか否かを判定する手段（８６）と、
損傷状態にあると判定されたキャリア信号の任意のものにより搬送されるパンクチャラブルビットに重み付けして重み付け畳込み符号を発生させる手段（８６）と、
重み付け畳込み符号を復号する手段（７４）とよりなる無線周波数受信機（４８）。
【請求項１０】  ノンパンクチャラブルビットとパンクチャラブルビットを有する相補的畳込み符号と共に直角周波数分割多重化された複数のキャリア信号を受信して、ノンパンクチャラブルビットはキャリア信号の第１の群（３０）により、またパンクチャラブルビットはキャリア信号の第２の群（２８）により搬送されるようにし、第１の群のキャリア信号は第２の群のキャリア信号ほど干渉の影響を受けることが少なく、
第２の群のキャリア信号が損傷状態にあるか否かを判定し、
損傷状態にあると判定されたキャリア信号の任意のものにより搬送されるパンクチャラブルビットを消去してパンクチャド符号を発生させ、
パンクチャド符号を復号するステップをさらに含む無線周波数信号を受信する方式。
【請求項１１】  ノンパンクチャラブルビットとパンクチャラブルビットを有する畳込み符号と共に直角周波数分割多重化された複数のキャリア信号（８０）を受信して、ノンパンクチャラブルビットはキャリア信号の第１の群（３０）により、またパンクチャラブルビットはキャリア信号の第２の群（２８）により搬送されるようにし、第１の群のキャリア信号は第２の群のキャリア信号ほど干渉の影響を受けることが少ない受信ステップと、
第２の群のキャリア信号が損傷状態にあるか否かを判定する判定ステップと、
損傷状態にあると判定されたキャリア信号の任意のものにより搬送されるパンクチャラブルビットに重み付けして重み付けしたパンクチャド符号を発生させる重み付けステップと、
重み付けしたパンクチャド符号を復号する復号ステップとより成る無線周波数信号を受信する方式。
【請求項１２】  第２の群のキャリア信号が損傷状態にあるか否かを判定するステップは、
パンクチャラブルビットを含むキャリア信号の信号対雑音比を測定するステップより成り、
損傷状態にあると判定されたキャリア信号の任意のものにより搬送されるパンクチャラブルビットに重み付けして重み付けしたパンクチャド符号を発生させるステップは、
信号対雑音比に応答してパンクチャラブルビットに重み付けするステップより成ることを特徴とする請求項１１の方式。
【請求項１３】  ノンパンクチャラブルビットとパンクチャラブルビットを有する畳込み符号を用いてプログラム材料を符号化する手段より成る放送システムであって、
直角周波数分割多重化された複数のキャリア信号（８０）を畳込み符号で変調して、ノンパンクチャラブルビットがキャリア信号の第１の群（３０）により、またパンクチャラブルビットがキャリア信号の第２の群（２８）により搬送されるようにする手段と、
キャリア信号を放送する手段と、
キャリア信号を受信する手段と、
第２の群のキャリア信号が損傷状態にあるか否かを判定する手段と、
損傷状態にあると判定されたキャリア信号の任意のものにより搬送されるパンクチャラブルビットを消去してパンクチャド符号を発生させる手段、
畳込み符号を復号する手段杜より成ることを特徴とする放送システム。
【請求項１４】  ノンパンクチャラブルビットとパンクチャラブルビットを有する畳込み符号を用いてプログラム材料を符号化する手段より成る放送システムであって、
直角周波数分割多重化された第１の複数のキャリア信号（８０）を畳込み符号で変調して、畳込み符号のノンパンクチャラブルビットが第１の複数のキャリア信号の第１の群（３０）により、また畳込み符号のパンクチャラブルビットが第１の複数のキャリア信号の第２の群（２８）により搬送されるようにし、第２の複数のキャリア信号の第１の群は第２の複数のキャリア信号の第２の群ほど干渉の影響を受けることが少なく、直角周波数分割多重化された第２の複数のキャリア信号を相補的畳込み符号で変調して、相補的畳込み符号のノンパンクチャラブルビットが第２の複数のキャリア信号の第１の群（３０）により、また相補的畳込み符号のパンクチャラブルビットが第２の複数のキャリア信号の第２の群により搬送されるようにし、第２の複数のキャリア信号の第１の群は第２の複数のキャリア信号の第２の群ほど干渉の影響を受けることが少ない手段と、
キャリア信号を放送する手段と、
キャリア信号を受信する手段と、
第１及び第２の複数の第２の群のキャリア信号が損傷状態にあるか否かを判定する手段と、
損傷状態にあると判定されたキャリア信号の任意のものにより搬送されるパンクチャラブルビットを消去してパンクチャド符号を発生させる手段、
畳込み符号と相補的畳込み符号を復号する手段より成ることを特徴とする放送システム。
【請求項１５】  ノンパンクチャラブルビットとパンクチャラブルビットを有する畳込み符号を用いてプログラム材料を符号化する手段より成る放送システムであって、
直角周波数分割多重化された複数のキャリア信号（８０）を畳込み符号で変調して、ノンパンクチャラブルビットがキャリア信号の第１の群（３０）により、またパンクチャラブルビットがキャリア信号の第２の群（２８）により搬送されるようにし、キャリア信号の第１の群はキャリア信号の第２の群ほど干渉の影響を受けることが少ない手段と、
キャリア信号を放送する手段と、
キャリア信号を受信する手段と、
第２の群のキャリア信号が損傷状態にあるか否かを判定する手段と、
損傷状態にあると判定されたキャリア信号の任意のものにより搬送されるパンクチャラブルビットに重み付けしてパンクチャド符号を発生させる手段と、
畳込み符号を復号する手段より成ることを特徴とする放送システム。
【請求項１６】  ノンパンクチャラブルビットとパンクチャラブルビットを有する畳込み符号を用いてプログラム材料を符号化する手段より成る放送システムであって、
直角周波数分割多重化された第１の複数のキャリア信号（８０）を畳込み符号で変調して、畳込み符号のノンパンクチャラブルビットが第１の複数のキャリア信号の第１の群（３０）により、また畳込み符号のパンクチャラブルビットが第１の複数のキャリア信号の第２の群（２８）により搬送されるようにし、第１の複数のキャリア信号の第１の群は第１の複数のキャリア信号の第２の群ほど干渉の影響を受けることが少なく、直角周波数分割多重化された第２の複数のキャリア信号（８０）を相補的畳込み符号で変調して、相補的畳込み符号のノンパンクチャラブルビットが第２の複数のキャリア信号の第１の群（３０）により、また相補的畳込み符号のパンクチャラブルビットが第２の複数のキャリア信号の第２の群（２８）により搬送されるようにし、第２の複数のキャリア信号の第１の群は第２の複数のキャリア信号の第２の群ほど干渉の影響を受けることが少ない手段と、
キャリア信号を放送する手段と、
キャリア信号を受信する手段と、
第１の複数の第２の群及び第２の複数の第２の群のキャリア信号が損傷状態にあるか否かを判定する手段と、
損傷状態にあると判定されたキャリア信号の任意のものにより搬送されるパンクチャラブルビットに重み付けしてパンクチャド符号を発生させる手段、
畳込み符号と相補的畳込み符号を復号する手段より成ることを特徴とする放送システム。